(57)【要約】【課題】歩留りを向上できる電気機器を提供する。【解決手段】光透過部３０ｂを有した表面パネル３０が表面に取り付けられ、光透過部３０ｂを介して内部を視認可能に形成される電気機器１において、表面パネル３０の背面側の空間内で光透過部３０ｂ以外の領域に、表面パネル３０を取り付けるための固着材料である粘着性物質３２を露出するように設けた。【選択図】図２
2008064333.tif 000002
【特許請求の範囲】
【請求項１】
光透過部を有した表面パネルが表面に取り付けられ、前記光透過部を介して内部を視認可能に形成される電気機器において、前記表面パネルの背面側の空間内で前記光透過部以外の領域に粘着性物質が露出するように設けられていることを特徴とする電気機器。
【請求項２】
前記粘着性物質は、前記表面パネルを取り付けるための固着材料であることを特徴とする請求項１に記載の電気機器。
【請求項３】
前記粘着性物質の端縁を前記光透過部の近傍に設けたことを特徴とする請求項２に記載の電気機器。
【請求項４】
前記光透過部を介して内部を視認可能な位置に、表示パネルが取り付けられることを特徴とする請求項１〜請求項３のいずれかに記載の電気機器。
【請求項５】
前記表面パネルは開口部を有する基材の表面に前記光透過部が前記開口部と重なるように配置され、前記表示パネルを実装した基板をネジ止めするボスを前記基材の背面に突設したことを特徴とする請求項４に記載の電気機器。
【請求項６】
前記粘着性物質は両面粘着シートから成り、前記両面粘着シートは前記開口部に重なるように形成される貫通孔を有することを特徴とする請求項５に記載の電気機器。
【請求項７】
前記表面パネルは、除電処理が行なわれていることを特徴とする請求項１〜請求項６のいずれかに記載の電気機器。
【発明の詳細な説明】
【技術分野】
【０００１】
本発明は、内部を視認可能な光透過部を有した表面パネルが表面に配される電気機器に関する。
【背景技術】
【０００２】
光透過部を有した表面パネルが表面に配される従来の電気機器は特許文献１に開示される。この電気機器は加熱調理器から成り、前面を開閉する扉から成る外装パネルを有している。外装パネルは開口部を有した樹脂製の外枠の前面側に透明なスクリーン（表面パネル）が配される。スクリーンは周部に遮光部が設けられ、中央が光透過部になっている。外枠の開口部の周囲に両面粘着テープ等の粘着材が設けられ、粘着材によって外枠とスクリーンとが接着されている。これにより、光透過部及び開口部が覗き窓を構成し、加熱調理器の内部を視認可能になっている。
【０００３】
【特許文献１】特開平７−１２３５２号公報
【発明の開示】
【発明が解決しようとする課題】
【０００４】
しかしながら、上記従来の電気機器によると、外装パネルの製造工程中に光透過部の背面に塵埃が付着し、完成品で光透過部上に塵埃が残存すると外装パネルが不良となる。製造工程の進行に応じて外枠の反転等により塵埃が脱落しても、脱落した塵埃が再度付着する場合もある。従って、電気機器の歩留りが低下する問題があった。
【０００５】
本発明は、歩留りを向上できる電気機器を提供することを目的とする。
【課題を解決するための手段】
【０００６】
上記目的を達成するために本発明は、光透過部を有した表面パネルが表面に取り付けられ、前記光透過部を介して内部を視認可能に形成される電気機器において、前記表面パネルの背面側の空間内で前記光透過部以外の領域に粘着性物質が露出するように設けられていることを特徴としている。
【０００７】
この構成によると、電気機器の表面に光透過部を有した表面パネルが取り付けられる。光透過部が覗き窓となって電気機器の内部が視認される。表面パネルの背面側の空間には光透過部の周囲等の光透過部以外の領域に粘着性物質が露出して設けられ、電気機器の製造工程中に光透過部近傍に到達した塵埃が粘着性物質に捕集される。
【０００８】
また本発明は、上記構成の電気機器において、前記粘着性物質は、前記表面パネルを取り付けるための固着材料であることを特徴としている。この構成によると、表面パネルを固着する固着材料により塵埃が捕集される。
【０００９】
また本発明は、上記構成の電気機器において、前記粘着性物質の端縁を前記光透過部の近傍に設けたことを特徴としている。
【００１０】
また本発明は、上記構成の電気機器において、前記光透過部を介して内部を視認可能な位置に、表示パネルが取り付けられることを特徴としている。この構成によると、光透過部から成る覗き窓から表示パネルに表示される画像が視認される。
【００１１】
また本発明は、上記構成の電気機器において、前記表面パネルは開口部を有する基材の表面に前記光透過部が前記開口部と重なるように配置され、前記表示パネルを実装した基板をネジ止めするボスを前記基材の背面に突設したことを特徴としている。この構成によると、基材の表面に表面パネルが取り付けられ、表示パネルを実装した基板が基材に設けたボスにネジ止めされる。表示パネルは開口部を介して光透過部と対向配置される。
【００１２】
また本発明は、上記構成の電気機器において、前記粘着性物質は両面粘着シートから成り、前記両面粘着シートは前記開口部に重なるように形成される貫通孔を有することを特徴としている。この構成によると、両面粘着シートから成る粘着材は打ち抜き加工等により貫通孔が形成され、貫通孔と開口部とが重なるように基材上に粘着性物質が配置される。
【００１３】
また本発明は、上記構成の電気機器において、前記表面パネルは、除電処理が行なわれていることを特徴としている。
【発明の効果】
【００１４】
本発明によると、表面パネルの背面側の空間内で光透過部以外の領域に粘着性物質が露出するように設けられるので、電気機器の製造工程中に光透過部近傍に到達した塵埃が粘着性物質に捕集される。従って、光透過部の背面に付着する塵埃を低減し、電気機器の歩留りを向上することができる。
【００１５】
また本発明によると、粘着性物質は表面パネルを取り付けるための固着材料であるので、光透過部の周縁近傍に容易に粘着性物質を設けることができる。
【００１６】
また本発明によると、粘着性物質の端縁を光透過部の近傍に設けたので、粘着性物質を光透過部に接近して配置して光透過部の背面に付着する塵埃をより低減することができる。
【００１７】
また本発明によると、光透過部を介して内部を視認可能な位置に、表示パネルが取り付けられるので、表示パネルの視認性を低下させる塵埃を低減して電気機器の歩留りを向上することができる。
【００１８】
また本発明によると、表示パネルを実装した基板をネジ止めするボスを基材の背面に突設したので、製造工程中のネジの着脱によって発生するボスの切り屑が光透過部の背面に付着することを低減することができる。
【００１９】
また本発明によると、両面粘着シートから成る粘着性物質が開口部に重なる貫通孔を有するので、光透過部近傍に粘着性物質を容易に配することができる。
【００２０】
また本発明によると、表面パネルは除電処理が行なわれているので、静電気による塵埃の付着を防止し、光透過部に付着する塵埃をより低減することができる。
【発明を実施するための最良の形態】
【００２１】
以下に本発明の実施形態を図面を参照して説明する。図１は一実施形態の加熱調理器を示す正面図である。加熱調理器１は直方体形状のキャビネット１０を備えている。キャビネット１０の正面には扉１１が設けられる。
【００２２】
扉１１は下端を中心に垂直面内で回動可能に枢支され、上部には扉１１を開閉するためのハンドル１２が設けられている。扉１１の中央部１１Ｃには耐熱ガラスがはめ込まれている。中央部１１Ｃの左右には金属製の装飾板２１を表面に設けた左側部１１Ｌ及び右側部１１Ｒが対称的に配置されている。
【００２３】
扉１１の右側部１１Ｒには操作パネルを形成する外装パネル１３が一体に設けられている。外装パネル１３の前面に配される装飾板２１には開口部２１ａ、２１ｂ、２１ｃが形成される。下方の円形の開口部２１ｂ、２１ｃを介して操作スイッチ２２、２３が表面に露出する。上方の矩形の開口部２１ａを介して詳細を後述する表面パネル３０及び操作スイッチ２４、２５が表面に露出する。表面パネル３０の後方には後述する表示パネル３５（図２参照）が配される。
【００２４】
図２は外装パネル１３の要部を示す縦断面図である。外装パネル１３の筐体は扉１１のシャーシ３１（基材）により形成されている。シャーシ３１は樹脂成形品から成り、開口部３１ａが設けられる。また、シャーシ３１の背面側にはネジ孔を有する複数のボス３１ｂが開口部３１ａの周囲に突設されている。ボス３１ｂには基板３６がネジ３７によりネジ止めされている。基板３６には液晶パネル等の表示パネル３５が実装され、表示パネル３５が開口部３５に臨んで配置されている。
【００２５】
シャーシ３１の前面側には透明なアクリル樹脂から成る表面パネル３０が配される。表面パネル３０の背面は着色材３０ａを塗布して着色され、着色材３０ａを塗布しない光透過部３１ｂが形成されている。光透過部３１ｂは開口部３０ａよりも狭い面積で形成される。表面パネル３０は両面粘着シートから成る粘着材３２（粘着性物質）によってシャーシ３１の前面に接着され、光透過部３０ｂが開口部３０ａに重なるように配置されている。
【００２６】
図３、図４は粘着材３２を配した状態の表面パネル３０を示す正面図及び背面図である。これらの図において、着色材３１ａ（図２参照）が視認される部分をドットにより示している。また、図４において、粘着材３２をハッチングにより示している。表面パネル３０には複数の貫通孔３０ｃ、３０ｄ、３０ｅ、３０ｆが設けられる。貫通孔３０ｃ、３０ｄにはそれぞれ操作スイッチ２４、２５（図１参照）が挿通される。貫通孔３０ｅ、３０ｆにはそれぞれ操作スイッチ２２、２３（図１参照）が挿通される。
【００２７】
粘着材３２は両面粘着シートを打ち抜き加工して形成され、表面パネル３０の貫通孔３０ｃ、３０ｄ、３０ｅ、３０ｆに対応する貫通孔３２ｃ、３２ｄ、３２ｅ、３２ｆが設けられる。また、光透過部３０ｂに対応する貫通孔３２ｂが形成される。貫通孔３２ｂは光透過部３０ｂよりも広い面積に形成され、その周縁は光透過部３０ｂの周縁よりも外側にに配される。また、貫通孔３２ｂの周縁は開口部３１ａの周縁よりも内側に配される。即ち、粘着材３２は開口部３１ａの周縁から内側にはみ出して設けられている。
【００２８】
上記構成の外装パネル１３は、粘着材３２によって表面パネル３０がシャーシ３１に固着される。即ち、粘着材３２は表面パネル３０を取り付ける固着材料を構成する。表面パネル３０には予め除電処理が施され、静電気によって塵埃が付着しにくいようになっている。また、シャーシ３１のボス３１ｂには表示パネル３５を有する基板３６がネジ止めされる。そして、表面パネル３０上に装飾板２１が取り付けられ、外装パネル１３を有した扉１１が得られる。
【００２９】
これにより、光透過部３０ｂが覗き窓となり、光透過部３０ｂ及び開口部３１ａを介して表示パネル３５の画像を視認することができる。
【００３０】
本実施形態によると、シャーシ３１と表面パネル３０とを固着する粘着材３２が光透過部３０ｂの周縁よりも外側で開口部３１ａ周縁から内側にはみ出して設けられ、表面パネル３０の背面側の空間内で光透過部３０ｂ以外の領域に粘着材３２が露出するように設けられる。これにより、加熱調理器１の製造工程中に光透過部３０ｂ近傍に到達した塵埃が露出した粘着材３２に捕集される。従って、光透過部３０ｂの背面に付着する塵埃を低減し、加熱調理器１の歩留りを向上することができる。
【００３１】
また、前述の図４に示すように、粘着材３２の貫通孔３２ｂの端縁は開口部３１ａの周縁よりも光透過部３０ｂの周縁近傍に設けられる。これにより、粘着材３２を光透過部３０ｂに接近して配置し、光透過部３０ｂの背面に付着する塵埃をより低減することができる。
【００３２】
特に、光透過部３０ｂに対向して表示パネル３５がシャーシ３１に取り付けられるため、塵埃が光透過部３０ｂの背面に付着すると表示パネル３５の視認性を著しく低下させる。このため、塵埃が僅かに残存しても加熱調理器１が不良となるため、粘着材３２により塵埃を捕集することで加熱調理器１の歩留り向上効果がより大きい。
【００３３】
また、表示パネル３５を実装した基板３６をネジ止めするボス３１ｂをシャーシ３１の背面に突設したので、製造工程中のネジ３７の着脱によって発生するボス３１ｂの切り屑が光透過部３０ｂの背面に付着することを低減することができる。
【００３４】
本実施形態において、光透過部３０ｂの背面側の周囲に粘着材３２を設けて塵埃を捕集するようになっているが、光透過部３０ｂの近傍の他の位置に粘着材３２を設けてもよい。例えば、前述の図２に一点鎖線Ｄで示すように、開口部３１ａの背面側の周囲に粘着材３２を設けてもよい。即ち、表面パネル３０の背面側の空間内で光透過部３０ｂ以外の領域に粘着材３２を露出して設ければよい。これにより、光透過部３０ｂ近傍に到達した塵埃を粘着材３２により捕集することができる。
【００３５】
また、本実施形態において開口部３０ａの全周縁が光透過部３０ｂよりも外側に配置されているが、開口部３０ａの周縁の少なくとも一部を光透過部３０ｂの周縁よりも外側に形成し、光透過部３０ｂの周縁よりも外側の開口部３０ａ周縁の内側に粘着材３２を配してもよい。
【００３６】
尚、本実施形態において外装パネル１３を加熱調理器１の前面に設けているが、他の電気機器、例えば、透過面を前面に有して表示部を備えた、液晶テレビ、携帯電話、冷蔵庫、空気調和機、洗濯機等の表面に外装パネル１３を設けてもよい。これにより、表面パネル３０の光透過部３０ｂから電気機器本体の内部や表示パネルを視認する外装パネル１３の歩留りを向上するとともに、該電気機器の歩留りを向上することができる。
【産業上の利用可能性】
【００３７】
本発明は、光透過部を有する表面パネルを表面に備えた加熱調理器、液晶テレビ、携帯電話、冷蔵庫、空気調和機、洗濯機等の電気機器に利用することができる。
【図面の簡単な説明】
【００３８】
【図１】本発明の実施形態の加熱調理器を示す正面図
【図２】本発明の実施形態の加熱調理器の外装パネルを示す縦断面図
【図３】本発明の実施形態の加熱調理器の表面パネルを示す正面図
【図４】本発明の実施形態の加熱調理器の表面パネルを示す背面図
【符号の説明】
【００３９】
１    加熱調理器
１１    扉
１３    外装パネル
２１    装飾板
２２〜２５  操作スイッチ
３０    表面パネル
３０ａ  着色材
３０ｂ  光透過部
３１    シャーシ（基材）
３１ａ  開口部
３２    粘着材
３２ｂ〜３２ｆ  貫通孔
３５    表示パネル
３６    基板
３７    ネジ
【図１】
2008064333.tif 000003
【図２】
2008064333.tif 000004
【図３】
2008064333.tif 000005
【図４】
2008064333.tif 000006